(57)【要約】【課題】  小型化、軽量化を図るとともに処理能力の高い携帯端末装置を提供する。【解決手段】  近距離無線通信部と、操作入力部と、通話またはデータ通信またはメール機能である第１の処理を実行し、あるいは第１の処理とは異なる第２の処理の結果を表示または再生するように制御する制御部とを有し、操作入力部からの操作入力に応じて、第２の処理の結果を得るための所定の情報変換処理を、近距離無線通信部による無線通信を介して、自装置とは分離された情報処理装置で実行させ、情報処理装置で処理された結果を無線通信を介して受信し、受信した処理結果を表示または再生するように制御する。【選択図】  図１
2009112053.tif 000002
【特許請求の範囲】
【請求項１】
近距離無線通信部と、操作入力部と、通話またはデータ通信またはメール機能である第１の処理を実行し、あるいは、前記第１の処理とは異なる第２の処理の結果を表示または再生するように制御する制御部と、を有し、
前記制御部は、
前記操作入力部からの操作入力に応じて、前記第２の処理の結果を得るための所定の情報変換処理を、前記近距離無線通信部による無線通信を介して、自装置とは分離された情報処理装置で実行させ、前記情報処理装置で処理された結果を前記無線通信を介して受信し、受信した前記処理の結果を表示または再生するように制御する、
ことを特徴とする携帯端末装置。
【請求項２】
画像または文字表示機能または音声出力機能をさらに有することを特徴とする請求項１記載の携帯端末装置。
【請求項３】
前記情報処理装置と前記無線通信を行わずに前記第１の処理を実行できることを特徴とする請求項１または２に記載の携帯端末装置。
【発明の詳細な説明】
【技術分野】
【０００１】
本発明は、携帯端末装置に関する。
【背景技術】
【０００２】
通常、携帯端末は手にもって操作するため、小型、軽量が一般的に望ましい。携帯端末の小型化、軽量化が進むと、電池容量が少なく、また大容量データの保存のためのメモリ容量も少ないことになってしまう。そこで、携帯端末のＣＰＵを携帯端末本体とは別体とし、データ処理能力の向上と大容量データ保存を実現することが望まれてきている。従来技術として、基地局と通信を行う受発信部と、音声を入出力する送受話部とに分離でき、受発信部を無線データ通信用ＰＣカードとして機能させる分離型携帯電話装置がある（例えば、特許文献１参照）。また、近距離無線通信機能を持つ携帯端末としては、一例としてブルートゥース（登録商標）の通信機能を持つ携帯電話機が知られている。応用例として、パソコンとの無線接続モデム、携帯電話機用の無線接続ヘッドセット等がある。
【先行技術文献】
【特許文献】
【０００３】
【特許文献１】特開２０００−２０９６５７号公報
【発明の概要】
【発明が解決しようとする課題】
【０００４】
しかしながら従来の技術においては、画像や音声データを非圧縮で伝送し再生することはできない。また、現状の携帯端末のデータ処理能力とデータのストレージは自然映像、自然音声の処理を含むマルチメディア処理には小さすぎる。さらに、将来的にはマルチメディア処理よりさらに複雑な自然言語処理や人工知能処理の要求に携帯端末は応じていくものと考えられ、これら処理能力の拡大と携帯端末の小型化、軽量化は相容れない要素となってきている。  
【０００５】
そこで、本発明は、上記事情を鑑みてなされたもので、携帯端末の小型化、軽量化を図るとともに、処理能力の高い携帯端末を提供することを目的とする。
【課題を解決するための手段】
【０００６】
そのため本発明の携帯端末装置においては、近距離無線通信部と、操作入力部と、通話またはデータ通信またはメール機能である第１の処理を実行し、あるいは、前記第１の処理とは異なる第２の処理の結果を表示または再生するように制御する制御部と、を有し、前記制御部は、前記操作入力部からの操作入力に応じて、前記第２の処理の結果を得るための所定の情報変換処理を、前記近距離無線通信部による無線通信を介して、自装置とは分離された情報処理装置で実行させ、前記情報処理装置で処理された結果を前記無線通信を介して受信し、受信した前記処理の結果を表示または再生するように制御する、ことを特徴とする。
【０００７】
また、本発明の携帯端末装置においては、画像または文字表示機能または音声出力機能をさらに有することを特徴とする。
【０００８】
また、本発明の携帯端末装置においては、前記情報処理装置と前記無線通信を行わずに前記第１の処理を実行できることを特徴とする。
【発明の効果】
【０００９】
以上に説明した本発明の携帯端末装置によると、操作入力部での操作入力に応じて、自装置以外の情報処理装置に、近距離無線通信を介して、通話またはデータ通信またはメール機能である第１の処理とは異なる第２の処理を実行させ、処理結果を再び近距離無線通信を介して受信し、受信した処理結果を表示または再生するようにすることにより、操作性が求められる携帯端末装置の小型化、軽量化を図ることができ、さらに処理能力の向上を図ることができる。
【図面の簡単な説明】
【００１０】
【図１】本実施の形態に係る携帯電話機本体の概略構成を示したブロック図である。
【図２】ＣＰＵの概略構成を示したブロック図である。
【発明を実施するための形態】
【００１１】
以下、本発明の好適な実施形態の１つとしての携帯電話機本体（携帯端末装置）について、図１および図２を参照して詳細に説明する。図１は、本実施の形態に係る携帯電話機本体１の概略構成を示したブロック図である。また、図２は、情報処理装置（以下ＣＰＵ）２の概略構成を示したブロック図である。
【００１２】
本実施の形態に係る携帯電話機本体１は、近距離通信機能を有し、この近距離通信機能によってＣＰＵ２と無線通信を行う。この携帯電話機本体１とＣＰＵ２は分離可能であり、ＣＰＵ２は計算負荷の大きい情報処理や、マルチメディア処理、ストレージされた大容量データの読み出しなどを実行する。そして、携帯電話機本体１とＣＰＵ２は、近距離通信によって双方向のデータ通信を行うことができ、ＣＰＵ２は携帯電話機本体１に処理結果を伝送する。携帯電話機本体１は、受信した処理結果を表示、再生する。
【００１３】
図１に示すように、携帯電話機本体１は、基地局１２との通信用アンテナ６と、基地局１２との通信用送受信部７および必要な容量である小型の電池１０と、ＣＰＵ２と無線通信を行う近距離無線通信部８と、データ伸長部９と、使用者が入力操作を行うキーボタン操作部３と、マイク・スピーカ部５と、情報表示部４とを備えている。制御部１１は、携帯電話機本体１の各部を制御する。
【００１４】
携帯電話機本体１は、通常の通話、メール機能の使用などにおいては、図２に示す分離独立体のＣＰＵ２と無線通信せずに、単独で動作することができるようになっている。このため、通常の通話やメール機能のみ利用する場合、ユーザはＣＰＵ２を携帯電話機本体１と一緒に携帯しなくてもよく、携帯電話機本体の小型化、軽量化を図ることができる。
【００１５】
図２に示すように、ＣＰＵ２は、近距離無線通信部２１と、データ圧縮部２２とを備えている。また、ＣＰＵ２は、負荷の重いデータ処理を実行するために、高速のＭＣＵ２３と、高速のＲＡＭ２４と、大容量のフラッシュメモリまたは小型ハードディスクドライブからなるストレージ部２６とを備えている。
【００１６】
ストレージ部２６には、翻訳などの重い情報処理をするための辞書や、画像など大規模なデータが格納されている。また、ＣＰＵ２の電源２７は、ＣＰＵ２の十分な駆動時間を得られる様に比較的容量の大きい電池である。なお、制御部２５は、ＣＰＵ２の各部を制御する。
【００１７】
例えば、携帯電話機本体１にＣＰＵ２による情報処理を必要とするような翻訳に関する入力操作が行われた場合、カバンなどに収納されたＣＰＵ２と携帯電話機本体１が近距離通信を行い、ＣＰＵ２に入力データを送信すると共に、翻訳の処理を指示する。ＣＰＵ２が翻訳処理を行い、結果を携帯電話機本体１に送信すると、携帯電話機本体１は、受信した結果を表示する。ユーザは、軽く小さな携帯電話機本体１の操作のみで、翻訳などの重い情報処理を実行させることが可能となる。
【００１８】
また、ストレージ部２６に保存されている動画や音声などのマルチメディアデータを再生する場合には、動画や音声データをそのまま送信すると非常に広い通信帯域を必要とするので、動画や音声データに対しＣＰＵ２のデータ圧縮部２２でデータ圧縮処理を行い、帯域を圧縮して携帯電話機本体１へ送信し、携帯電話機本体１側ではデータ伸張部９でデータ伸張処理を行い再生する。
【００１９】
一例として、ストレージ部２６に保存する動画や音声データは、携帯電話本体１によって例えば基地局からＭＰＥＧ４形式あるいはＭＰ３形式でダウンロードを行い、ＣＰＵ２へ送信し保存する。そしてこれらのデータを再生する時には、携帯電話機本体１での伸張処理が容易になるように、あらかじめＣＰＵ２においてＭＰＥＧ４形式からＭ−ＪＰＥＧ形式へ、またはＭＰ３形式からＡＤ−ＰＣＭ形式またはＤ−ＰＣＭ形式へのデータの変換を行ったうえで、携帯電話機本体１へ送信する構成としてもよい。なお、処理結果がテキストデータの場合は、携帯電話機本体１での処理負荷が小さいので、そのまま伝送する。
【００２０】
本実施例では、分離独立体のＣＰＵ２は、携帯電話機本体１の電池に比べて大きな容量の電池を内蔵しているが、これは容量の大きなストレージデータ、高速で容量の大きなＲＡＭ、高速のＣＰＵを実用的に時間動作させるためである。分離独立体のＣＰＵ２は、携帯電話機本体１に比べて重量、体積を小さくする要求が少ないので、複雑な計算処理やマルチメヂア処理能力を携帯電話機本体１より容易に実行することができる。また、電池の発熱については、ＣＰＵ２を手に持って操作しないため、比較的拘束が少なく、実現が容易である。
【符号の説明】
【００２１】
１：携帯電話機本体（携帯端末装置）、２：ＣＰＵ（情報処理装置）、３：キーボタン操作部、４：情報表示部、５：マイク・スピーカ、６：アンテナ、７：送受信部、８：近距離無線通信部、９：データ伸張部、１０：電池、１１：制御部、１２：基地局、２１：近距離無線通信部、２２：データ圧縮部、２３：ＭＣＵ、２４：ＲＡＭ、２５：制御部、２６：ストレージ部、２７：電池。
【図１】
2009112053.tif 000003
【図２】
2009112053.tif 000004